(57)【特許請求の範囲】
【請求項１】
マシンボディに固定された固定盤の上方に、可動盤がタイバーの上端に固定して設けられ、また上記固定盤の下方に、エンドプレートが上記タイバーの下端に固定して上記可動盤と一緒に上記固定盤に対して上下に移動自在に設けられ、上記固定盤とエンドプレートとの間に、トグル機構のクロスヘッドが、駆動モータによって回転させられるねじ軸に螺合されるとともに案内棒に上下自在に案内されて設けられた電動式竪型射出成形機の型締装置において、
上記エンドプレートの下方に、セットプレートが上記ねじ軸の下端を軸受けするとともに上記案内棒の下端に固定して設けられ、
上記セットプレートに上記駆動モータが支持されたことを特徴とする電動式竪型射出成形機の型締装置。
【請求項２】
エンドプレートが案内棒に上下自在に案内されたことを特徴とする請求項１記載の電動式竪型射出成形機の型締装置。
【発明の詳細な説明】
【０００１】
【発明の属する技術分野】
本発明は、電動式竪型射出成形機において、可動盤を固定盤に対して開閉移動させる型締装置に関する。
【０００２】
【従来の技術】
電動式竪型射出成形機の型締装置として、図２に示すものが知られている（特開平７−８８９２２号公報）。これについて説明すると、マシンボディ３１に固定された固定盤３２の上方に、可動盤３３がタイバー３４の上端に固定して設けられ、また固定盤３２の下方に、エンドプレート３５がタイバー３４の下端に固定して設けられている。可動盤３３とエンドプレート３５とはタイバー３４によって一体に結合され、固定盤３２に対して上下に移動自在である。
【０００３】
固定盤３２とエンドプレート３５との間に、トグル機構３６のクロスヘッド３７が、駆動モータ３８によりベルト３９等を介して回転させられるねじ軸４０に螺合して設けられている。ねじ軸４０はエンドプレート３５に回転自在に軸受けされ、また駆動モータ３８はエンドプレート３５に支持されており、駆動モータ３８によってねじ軸４０を回転させると、その回転方向にしたがってクロスヘッド３７が上又は下に動いてトグル機構３６を作動させ、エンドプレート３５と一緒に可動盤３３を固定盤３２に対して開閉移動させるようになっている。
【０００４】
上記電動式竪型射出成形機の型締装置以外に、図２のねじ軸４０をマシンボディ３１に軸受けする一方、駆動モータ３８をマシンボディ３１に支持し、その駆動モータ３８でねじ軸４０を回転させてトグル機構３６を作動させることにより、可動盤３３をエンドプレート３５と一緒に固定盤３２に対して開閉移動させるものも知られている（特開平９−３２７８４７号公報）。なお、クロスヘッド３７は、通常、案内棒で上下に案内される。
【０００５】
【発明が解決しようとする課題】
上記前者の図２の型締装置においては、駆動モータ３８がエンドプレート３５と常に一緒に上下動する構造のため、駆動モータ３８とその配線が損傷しやすく、耐用年数が短くなる欠点がある。
【０００６】
また、後者の型締装置は、駆動モータがマシンボディに取り付けられているため、振動と騒音が発生しやすいという問題点がある。
【０００７】
本発明は、駆動モータとその配線の寿命が長い電動式竪型射出成形機の型締装置を提供することを目的とする。
本発明の他の目的は、振動と騒音を低減することができる電動式竪型射出成形機の型締装置を提供することである。
【０００８】
【課題を解決するための手段】
上記の少なくとも１つの目的を達成するために、請求項１記載の発明は、マシンボディに固定された固定盤の上方に、可動盤がタイバーの上端に固定して設けられ、また上記固定盤の下方に、エンドプレートが上記タイバーの下端に固定して上記可動盤と一緒に上記固定盤に対して上下に移動自在に設けられ、上記固定盤とエンドプレートとの間に、トグル機構のクロスヘッドが、駆動モータによって回転させられるねじ軸に螺合されるとともに案内棒に上下自在に案内されて設けられた電動式竪型射出成形機の型締装置において、上記エンドプレートの下方に、セットプレートを上記ねじ軸の下端を軸受けするとともに上記案内棒の下端に固定して設け、上記セットプレートに上記駆動モータを支持した構成とした。
【０００９】
この手段では、駆動モータでねじ軸を回転させると、クロスヘッドが案内棒に沿って上又は下に動き、トグル機構を作動させて可動盤をエンドプレートと一緒に固定盤に対して開閉移動させる。この際、駆動モータは案内棒の下端に固定されたセットプレートに支持されているため、上下に動くことはなく、また案内棒は駆動モータの振動を吸収する。このため、駆動モータとその配線の上下動に起因する寿命の低下が防止されるとともに、駆動モータによるマシンボディと固定盤の振動が低減されて騒音の発生が抑止される。
【００１０】
請求項１記載の電動式竪型射出成形機の型締装置において、エンドプレートを案内棒に上下自在に案内した構成とすることが好ましい（請求項２）。
この構成では、エンドプレートが案内棒に沿って上下動する。したがって、可動盤の開閉移動が円滑になる。
【００１１】
【発明の実施の形態】
発明の実施の形態を添付図面を参照して説明する。
図１は本発明に係る電動式竪型射出成形機の型締装置の実施の形態を示すもので、図中符号１は固定盤である。固定盤１は、金型２を着脱自在に備え、マシンボディ３の上に水平に固定されている。固定盤１の上方には、金型５を着脱自在に備えた可動盤６が鉛直な一対のタイバー７の上端に固定して水平に設けられ、また固定盤１の下方には、エンドプレート８がタイバー７，７の下端に固定して水平に設けられている。このように、可動盤６とエンドプレート８とはタイバー７，７によって互いに平行に一体に結合され、固定盤１に対して上下に移動自在とされている。
【００１２】
固定盤１の下面には一対の案内棒１０が鉛直に固定され、それらの案内棒１０，１０の下端にはセットプレート１１が水平に固定されている。各案内棒１０はエンドプレート８の案内孔８ａにそれぞれ挿通され、エンドプレート８を上下に案内している。タイバー７，７と案内棒１０，１０はボールねじ軸１２に対して対称に配設されている。
【００１３】
固定盤１とセットプレート１１の間には、ボールねじ軸１２が、上下両端を固定盤１とセットプレート１１とにそれぞれ軸受けされて鉛直に設けられている。ボールねじ軸１２には、従来同様にトグル機構（図示せず）の、ボールナットとされたクロスヘッド１４が螺合され、案内棒１０，１０に上下自在に案内されている。ボールねじ軸１２は、エンドプレート８の透孔８ｂに挿通され、エンドプレート８の上下移動を自由にしている。
【００１４】
セットプレート１１には、サーボモータ等の駆動モータ１６がブラケット１７を介して支持されている。駆動モータ１６は、その出力軸に取り付けられた駆動プーリ１８と、ボールねじ軸１２の下端に取り付けられた従動プーリ１９、及びそれらのプーリ１８，１９に巻き掛けられたタイミングベルト２０とから成る伝動機構を介してボールねじ軸１２を回転させるものである。
【００１５】
次に上記の構成とされた電動式竪型射出成形機の型締装置の作用を説明する。図１は、駆動モータ１６によるボールねじ軸１２の正回転でクロスヘッド１４が上昇し、図示されていないトグル機構を伸長させてエンドプレート８を下に押し、可動盤６を下降させて金型２，５を型締めした状態を示すもので、この状態で金型２，５の成形キャビティに溶融樹脂が充填される。
【００１６】
充填樹脂の固化後、駆動モータ１６を作動させてボールねじ軸１２を逆回転させると、クロスヘッド１４が下降してトグル機構を屈曲させエンドプレート８を上昇させるので、可動盤６が上昇して型開き状態となる。
【００１７】
上記の作動そのものは周知であるが、駆動モータ１６は、案内棒１０，１０の下端に固定されていて動くことのないセットプレート１１に支持されているので、エンドプレート８の上下動、つまり可動盤６の開閉作動に際して上下に動くことはない。したがって、上下動に起因する駆動モータ１６とその配線の寿命の低下が防止される。
また、駆動モータ１６の振動を案内棒１０，１０が吸収し、固定盤１等への振動の伝達を低減するので、騒音の発生が抑止される。
更に、案内棒１０，１０は、エンドプレート８を案内するので、可動盤６の開閉作動が円滑になる。
【００１８】
図のタイバー７と案内棒１０は２個宛設けられているが、それらの数は図のものに限らず任意である。また、プーリ１８，１９とタイミングベルト２０とから成る伝動機構に替えて、チェーンや歯車等の伝動部材を使用した伝動機構を用いることができる。また、案内棒１０とボールねじ軸１２の上端は固定盤１に固定、又は軸受けされているが、マシンボディ３に固定、又は軸受けすることができる。エンドプレート８の形状あるいは構造によっては、案内孔８ａを省くことができる。
【００１９】
【発明の効果】
以上説明したように、請求項１記載の発明によれば、可動盤の開閉作動時に駆動モータがそれらに追従して上下に動くことがないので、駆動モータとその配線の寿命低下を防いで正常に保つことができる。また、案内棒が駆動モータの振動を吸収するので、固定盤やマシンボディの振動が軽減されるようになり、騒音の発生が抑えられる効果がある。
【００２０】
請求項１記載の電動式竪型射出成形機の型締装置において、エンドプレートを案内棒に上下自在に案内した構成とした場合は、可動盤の開閉作動が円滑になる効果がある。
【図面の簡単な説明】
【図１】本発明に係る電動式竪型射出成形機の型締装置の実施の形態を示す断面図である。
【図２】従来の電動式竪型射出成形機の型締装置の正面図である。
【符号の説明】
１  固定盤                  ３  マシンボディ
６  可動盤                  ７  タイバー
８  エンドプレート          ８ａ  案内孔
１０  案内棒                １１  セットプレート
１２  ボールねじ軸          １４  クロスヘッド
１６  駆動モータ
【図１】
0003586824.tif 000002
【図２】
0003586824.tif 000003